(57)【要約】【課題】  交差する複数の溝の等ピッチが小さくても各溝をつぶすことなく金型で製作することができるレンズカットが設けられ、ランプカバーとして使用される樹脂パネルを提供すること。【解決手段】  樹脂パネル１０は、金型に原料を流し込んで製作されるものであるが、その外観は、一方の面において、多数のＶ字状の第１溝１１が互いに交わらないように平行的に形成され、他方の面において、Ｖ字状の第２溝１２が互いに交わらないように平行的に形成されている。この点、一方の面に形成された複数の第１溝１１の各間隔と他方の面に形成された複数の第２溝１２の各間隔はピッチＰで等しくなっている。さらに、一方の面に形成された複数の第１溝１１と他方の面に形成された複数の第２溝１２は、互いに交わることなく、直角に交差する位置関係にある。【選択図】  図１
2006202700.tif 000002
【特許請求の範囲】
【請求項１】
レンズカットが設けられたランプカバーとして使用される樹脂パネルにおいて、
前記レンズカットは、
前記樹脂パネルの表面に平行に形成された複数の第１溝と、
前記樹脂パネルの裏面に平行に形成された複数の第２溝と、から構成され、
各第１溝と各第２溝とが交差すること、
を特徴とする樹脂パネル。
【請求項２】
請求項１に記載する樹脂パネルであって、
各第１溝が等間隔であるとともに各第２溝が等間隔であること、を特徴とする樹脂パネル。
【請求項３】
請求項１又は請求項２に記載する樹脂パネルであって、
各第１溝及び各第２溝の等間隔が１．０ｍｍ未満であること、を特徴とする樹脂パネル。
【請求項４】
請求項１乃至請求項３のいずれか一つに記載する樹脂パネルであって、
前記ランプカバーの光源がＬＥＤであること、を特徴とする樹脂パネル。
【請求項５】
請求項１乃至請求項４のいずれか一つに記載する樹脂パネルであって、
各第１溝と各第２溝とが直角に交差すること、を特徴とする樹脂パネル。
【請求項６】
請求項１乃至請求項５のいずれか一つに記載する樹脂パネルであって、
各第１溝及び各第２溝の溝部断面がＶ字状であること、を特徴とする樹脂パネル。
【請求項７】
請求項１乃至請求項６のいずれか一つに記載する樹脂パネルであって、
各第１溝及び各第２溝の突起断面が逆Ｕ字状であること、を特徴とする樹脂パネル。
【請求項８】
請求項１乃至請求項７のいずれか一つに記載する樹脂パネルであって、
前記ランプカバーがパチンコ機の電飾役物の部品であること、を特徴とする樹脂パネル。
【発明の詳細な説明】
【技術分野】
【０００１】
本発明は、レンズカットが設けられたランプカバーとして使用される樹脂パネルに関するものである。
【背景技術】
【０００２】
従来より、パチンコ機の電飾役物などのランプカバーとして使用される樹脂パネルには、光源からの光を拡散するためのレンズカットが設けられている（例えば、特許文献１参照）。
【特許文献１】特開２００２−１７９６４号公報（第１４図）
【０００３】
この点、レンズカットには、色々な種類が存在するが、例えば、図１１の斜視図に示すように、樹脂パネル１００の片面において、Ｖ字状の溝部断面を持つ複数の溝を等ピッチで直交させて碁盤格子状に形成したレンズカットがある。
【０００４】
尚、図１２は、樹脂パネル１００の正面図である。図１３は、樹脂パネル１００を図１２の矢印Ｃの方向からみた側面図である。図１４は、樹脂パネル１００を図１２の矢印Ｄの方向からみた側面図である。
【発明の開示】
【発明が解決しようとする課題】
【０００５】
しかしながら、ＬＥＤ光源からの光が拡散される具合を所望のものにするため、溝の等ピッチを１ｍｍより小さくしようとすると、図１１〜図１４に示されたレンズカットを金型で製作する場合には、各溝がつぶれて製作されることがあり、各溝がつぶれてしまうと、ＬＥＤ光源から光を拡散する具合が当初の狙いからずれてしまい、ランプカバーとして使用することができないことがあった。
【０００６】
そこで、本発明は、上述した点を鑑みてなされたものであり、交差する複数の溝の等ピッチが小さくても各溝をつぶすことなく金型で製作することができるレンズカットが設けられ、ランプカバーとして使用される樹脂パネルを提供することを課題とする。
【課題を解決するための手段】
【０００７】
この課題を解決するために成された請求項１に係る発明は、レンズカットが設けられたランプカバーとして使用される樹脂パネルにおいて、前記レンズカットは、前記樹脂パネルの表面に平行に形成された複数の第１溝と、前記樹脂パネルの裏面に平行に形成された複数の第２溝と、から構成され、各第１溝と各第２溝とが交差すること、を特徴としている。
【０００８】
尚、樹脂パネルの表面・裏面は、ランプカバーとして使用される場合、その光源との位置関係とは無関係である。
【０００９】
また、請求項２に係る発明は、請求項１に記載する樹脂パネルであって、各第１溝が等間隔であるとともに各第２溝が等間隔であること、を特徴としている。
【００１０】
また、請求項３に係る発明は、請求項１又は請求項２に記載する樹脂パネルであって、各第１溝及び各第２溝の等間隔が１．０ｍｍ未満であること、を特徴としている。
【００１１】
また、請求項４に係る発明は、請求項１乃至請求項３のいずれか一つに記載する樹脂パネルであって、前記ランプカバーの光源がＬＥＤであること、を特徴としている。
【００１２】
また、請求項５に係る発明は、請求項１乃至請求項４のいずれか一つに記載する樹脂パネルであって、各第１溝と各第２溝とが直角に交差すること、を特徴としている。
【００１３】
また、請求項６に係る発明は、請求項１乃至請求項５のいずれか一つに記載する樹脂パネルであって、各第１溝及び各第２溝の溝部断面がＶ字状であること、を特徴としている。
【００１４】
また、請求項７に係る発明は、請求項１乃至請求項６のいずれか一つに記載する樹脂パネルであって、各第１溝及び各第２溝の突起断面が逆Ｕ字状であること、を特徴としている。
【００１５】
また、請求項８に係る発明は、請求項１乃至請求項７のいずれか一つに記載する樹脂パネルであって、前記ランプカバーがパチンコ機の電飾役物の部品であること、を特徴としている
【発明の効果】
【００１６】
すなわち、本発明の樹脂パネルは、ランプカバーとして使用されるものであり、また、本発明の樹脂パネルでは、平行に形成された複数の第１溝と平行に形成された複数の第２溝とが交差することによってレンズカットが形作られるが、この点、各第１溝は表面に各第２溝は裏面に形成されるので、交差する複数の溝の等ピッチが小さくても各溝をつぶすことなく金型で製作することができるレンズカットが設けられたと言える。
【００１７】
特に、各第１溝及び各第２溝の等間隔が１．０ｍｍ未満である場合には、本発明のように各第１溝を表面に各第２溝を裏面に形成するのではなく、各第１溝及び各第２溝を表面又は裏面のいずれか一方に形成しようとすると、金型で製作した際に各溝をつぶすことがあるので、上記効果を有効に発揮することができる。
【００１８】
また、ランプカバーの光源がＬＥＤである場合には、本発明のように各第１溝を表面に各第２溝を裏面に形成するのではなく、各第１溝及び各第２溝を表面又は裏面のいずれか一方に形成すると、ランプカバーの光源が複数の点状に拡散されてしまうが、本発明のように各第１溝を表面に各第２溝を裏面に形成すると、ランプカバーの光源が均一な面状に拡散される。
【発明を実施するための最良の形態】
【００１９】
以下、本発明の実施の形態を図面を参照にして説明する。本実施の形態に係る樹脂パネルの斜視図を図１に示す。図１に示すように、本実施の形態に係る樹脂パネル１０は、金型に原料（例えば、ポリカーボネイド）を流し込んで製作されるものであるが、その外観は、一方の面において、多数のＶ字状の第１溝１１が互いに交わらないように平行的に形成され、他方の面において、Ｖ字状の第２溝１２が互いに交わらないように平行的に形成されている。
【００２０】
この点、一方の面に形成された複数の第１溝１１の各間隔と他方の面に形成された複数の第２溝１２の各間隔はピッチＰで等しくなっている。さらに、一方の面に形成された複数の第１溝１１と他方の面に形成された複数の第２溝１２は、互いに交わることなく、直角に交差する位置関係にある。
【００２１】
尚、図２は、樹脂パネル１０の正面図である。図３は、樹脂パネル１０を図２の矢印Ａの方向からみた側面図である。図４は、樹脂パネル１０を図２の矢印Ｂの方向からみた側面図である。
【００２２】
そして、本実施の形態に係る樹脂パネル１０は、金型成型時などに各種製品のデザイン・寸法に合わせて製作され、パチンコ機の電飾部品や、自動車の各種ランプ（例えば、ブレーキランプ、方向指示ランプ、テールランプなど）、ルームランプなどのランプカバーとして使用される。従って、本実施の形態に係る樹脂パネル１０がランプカバーとして使用されると、一方の面に形成された第１溝１１と他方の面に形成された第２溝１２は、ランプカバーのレンズカットとして機能する。
【００２３】
そこで、ここでは、その一例として、本実施の形態に係る樹脂パネル１０をパチンコ機の電飾部品のランプカバーとして使用された例について説明する。図５は、本実施の形態に係る樹脂パネルを電飾部品のランプカバーとして使用したパチンコ機を示した正面図である。また、図６は、そのパチンコ機の中央役物を拡大して示した正面図である。
【００２４】
すなわち、本実施の形態に係る樹脂パネル１０は、図５に示すパチンコ機１では、図５や図６に示すように、中央役物２の電飾カバー３として使用されている。
【００２５】
次に、本実施の形態に係る樹脂パネル１０の機能について説明する。ここでは、図７に示すように、電気基板２１に搭載された光源２２からの光を、本実施の形態に係る樹脂パネル１０や「背景技術」の欄で説明した樹脂パネル１００（図１１〜図１４参照）に透過させて、その拡散態様を肉眼で確認してみた。尚、光源２２にはＬＥＤを使用した。
【００２６】
その結果は、本実施の形態に係る樹脂パネル１０の場合には、ＬＥＤの光源２２の光は、図８に示すように、四角形の領域１３に均一に広がることが確認できた。一方、「背景技術」の欄で説明した樹脂パネル１００（図１１〜図１４参照）の場合には、ＬＥＤの光源２２の光は、図９に示すように、十字形の領域１０３に不均一（一部点状）に広がることが確認できた。
尚、図８や図９では、説明の便宜上、第１溝１１や第２溝１２は省略している。
【００２７】
従って、本実施の形態に係る樹脂パネル１０は、ランプカバーとして使用される場合、一方の面に形成された第１溝１１と他方の面に形成された第２溝１２とで構成されるレンズカットは、ＬＥＤからの光を四角形の領域に均一に拡散させることができる。
【００２８】
以上詳細に説明したように、本実施の形態に係る樹脂パネル１０は、ランプカバーとして使用されるものであり、また、本実施の形態に係る樹脂パネル１０では、平行にピッチＰの等間隔で形成された複数の第１溝１１と平行にピッチＰの等間隔で形成された複数の第２溝１２とが交差することによってレンズカットが形作られるが、この点、各第１溝１１は一方の面に各第２溝１２は他方の面に形成されるので、交差する複数の第１溝１１又は第２溝１２のピッチＰの等間隔が小さくても各溝１１，１２をつぶすことなく金型で製作することができるレンズカットを設けることができる。
【００２９】
特に、各第１溝１１及び各第２溝１２のピッチＰの等間隔が１．０ｍｍ未満である場合には、本実施の形態に係る樹脂パネル１０のように、各第１溝１１を一方の面に各第２溝１２を他方の面に形成するときは、ピッチＰの等間隔が小さくても各溝１１，１２をつぶすことなく金型で製作することができるが、「背景技術」の欄で説明した樹脂パネル１００（図１１〜図１４参照）のように、各第１溝１１及び各第２溝１２を一方又は他方のいずれかの面に形成しようとすると、金型で製作した際に各溝１１，１２をつぶすことがあるので、上記効果を有効に発揮することができる。
【００３０】
また、ランプカバーの光源２２がＬＥＤである場合には、「背景技術」の欄で説明した樹脂パネル１００（図１１〜図１４参照）のように、各第１溝１１及び各第２溝１２を一方又は他方のいずれかの面に形成したときは、ＬＥＤからの光が、図９に示すように、十字形の領域１０３に不均一（一部点状）に拡散するが、本実施の形態に係る樹脂パネル１０のように、各第１溝１１を一方の面に各第２溝１２を他方の面に形成したときは、ＬＥＤからの光が、図８に示すように、四角形の領域１３に均一に拡散する。
【００３１】
尚、本発明は上記実施の形態に限定されるものでなく、その趣旨を逸脱しない範囲で様々な変更が可能である。
例えば、本実施の形態に係る樹脂パネル１０では、一方の面に形成された第１溝１１の断面と他方の面に形成された第２溝１２の断面が直角に交差しているが、この点、鋭角又は鈍角で交差してもよい。
【００３２】
また、本実施の形態に係る樹脂パネル１０では、一方の面に形成された第１溝１１の溝部断面と他方の面に形成された第２溝１２の溝部断面がＶ字状であったが（図１〜図４参照）、この点、Ｕ字状であってもよい。また、図１０に示すように、突起断面が逆Ｕ字状（波状）の溝５１，５２を両面に形成された樹脂パネル５０であってもよい。
【産業上の利用可能性】
【００３３】
本発明は、レンズカットが形成された樹脂パネルに適用し得る。
【図面の簡単な説明】
【００３４】
【図１】本発明の一実施形態に係る樹脂パネルを示した斜視図である。
【図２】本発明の一実施形態に係る樹脂パネルを示した平面図である。
【図３】本発明の一実施形態に係る樹脂パネルを示した側面図である。
【図４】本発明の一実施形態に係る樹脂パネルを示した側面図である。
【図５】本発明の一実施形態に係る樹脂パネルを使用したパチンコ機の正面図である。
【図６】本発明の一実施形態に係る樹脂パネルを使用したパチンコ機の中央役物の正面図である。
【図７】本発明の一実施形態に係る樹脂パネル又は背景技術の樹脂パネルを透過した光の拡散態様を得るための実験モデルを示した図である。
【図８】本発明の一実施形態に係る樹脂パネル又は背景技術の樹脂パネルを透過した光の拡散態様を示した図である。
【図９】背景技術の樹脂パネルを透過した光の拡散具合を示した図である。
【図１０】本発明の一実施形態に係る樹脂パネルを示した斜視図である。
【図１１】背景技術の樹脂パネルを示した斜視図である。
【図１２】背景技術の樹脂パネルを示した平面図である。
【図１３】背景技術の樹脂パネルを示した側面図である。
【図１４】背景技術の樹脂パネルを示した側面図である。
【符号の説明】
【００３５】
１  パチンコ機
２  中央役物
３  電飾カバー
１０  樹脂パネル
１１  第１溝
１２  第２溝
１３  光が拡散した領域
２１  電気基板
２２  光源
５０  樹脂パネル
５１  第１溝
５２  第２溝
【図１】
2006202700.tif 000003
【図２】
2006202700.tif 000004
【図３】
2006202700.tif 000005
【図４】
2006202700.tif 000006
【図５】
2006202700.tif 000007
【図６】
2006202700.tif 000008
【図７】
2006202700.tif 000009
【図８】
2006202700.tif 000010
【図９】
2006202700.tif 000011
【図１０】
2006202700.tif 000012
【図１１】
2006202700.tif 000013
【図１２】
2006202700.tif 000014
【図１３】
2006202700.tif 000015
【図１４】
2006202700.tif 000016